(57)【要約】【課題】各相の電源インピーダンスが低い状態で平衡している場合でも、逆相または欠相状態を検出することができる三相四線式交流電源の逆相及び欠相検出装置を提供する。【解決手段】三相四線式交流電源の各極性線Ｒ、Ｓ、Ｔと中性線Ｎ間電圧の位相差にもとづいて上記三相交流電源の逆相及び欠相を検出する逆欠相検出手段２、３及び上記各極性線のうち少なくとも１線と中性線間に接続され、各極性線と中性線間の電流負荷バランスを上記逆欠相検出手段に対応させて調整する電流負荷素子６を備えた構成とする。【選択図】        図１
2004187435.tif 000002
【特許請求の範囲】
【請求項１】
三相四線式交流電源の各極性線と中性線間電圧の位相差にもとづいて上記三相交流電源の逆相及び欠相を検出する逆欠相検出手段及び上記各極性線のうち少なくとも１線と中性線間に接続され、各極性線と中性線間の電流負荷バランスを上記逆欠相検出手段に対応させて調整する電流負荷素子を備えたことを特徴とする三相四線式交流電源の逆相及び欠相検出装置。
【請求項２】
上記電流負荷素子と直列に開閉手段を接続し、上記開閉手段の開路時及び閉路時に上記逆欠相検出手段が検出した各極性線と中性線間電圧のタイミングを比較することにより、上記三相交流電源の逆相及び欠相を検出するようにしたことを特徴とする請求項１記載の三相四線式交流電源の逆相及び欠相検出装置。
【請求項３】
三相四線式交流電源の各極性線の電圧を整流する整流回路、この整流回路の整流電圧端子と上記三相交流電源の中性線との間に接続され、上記整流回路の整流電位と中性線電位との電位差を検出する電位差検出手段、及び上記電位差検出手段の検出電位差のタイミングにもとづいて上記三相交流電源の逆相及び欠相を検出する逆欠相検出手段を備えたことを特徴とする三相四線式交流電源の逆相及び欠相検出装置。
【請求項４】
上記電位差検出手段に別の電流負荷素子を並列接続したことを特徴とする請求項３記載の三相四線式交流電源の逆相及び欠相検出装置。
【請求項５】
上記逆欠相検出手段に、逆相または欠相を判定する閾値を設定したことを特徴とする請求項３または請求項４記載の三相四線式交流電源の逆相及び欠相検出装置。
【請求項６】
上記判定用閾値は、上記電位差検出手段で検出される波形のピーク値に対する所定の比率で設定されることを特徴とする請求項５記載の三相四線式交流電源の逆相及び欠相検出装置。
【請求項７】
三相四線式交流電源の各極性線にＹ結線された負荷素子、上記負荷素子のＹ結線の中心点と上記三相交流電源の中性線との間に接続され、上記Ｙ結線の中心点と中性線との電位差を検出する電位差検出手段、及び上記電位差検出手段の検出電位差にもとづいて上記三相交流電源の逆相及び欠相を検出する逆欠相検出手段を備えたことを特徴とする三相四線式交流電源の逆相及び欠相検出装置。
【請求項８】
電流負荷素子と開閉手段との直列接続体を上記三相交流電源の各極性線のうち少なくとも１線と中性線間に接続し、上記開閉手段の開路時及び閉路時における上記検出電位差のタイミングを上記逆欠相検出手段に付与することを特徴とする請求項３〜請求項７のいずれか１項記載の三相四線式交流電源の逆相及び欠相検出装置。
【発明の詳細な説明】
【０００１】
【発明の属する技術分野】
この発明は、三相四線式交流電源の逆相及び欠相検出装置、特に中性線に関する逆相及び欠相検出装置に関するものである。
【０００２】
【従来の技術】
従来の三相四線式交流電源の中性線欠相検出装置は、三相交流電源の各極性線に接続された周知の三相全波整流回路の直流側出力端子と三相交流電源の中性線との間に電圧検出回路を接続し、検出された電圧と所定の基準値とを比較して、その結果をトリガー回路に付与し、トリガー回路の出力によってリレー回路を動作させて、三相交流電源に接続された負荷機器等の電源回路を開閉するように構成されている。
【０００３】
従って、例えば、三相交流電源の中性線が欠相した場合には、負荷機器等からの回り込み電流により中性線に異常に高い電圧が印加されるため、電圧検出回路の検出電圧が基準値を超える結果、電圧検出回路から異常時の信号が出力され、トリガー回路がこの信号レベルを保持してリレー回路に出力し、これを受けたリレー回路が負荷機器への電源供給用の開閉器を遮断して負荷機器の破損を防止するようにしていた。（例えば特許文献１参照）。
【０００４】
【特許文献１】
特開平１０−３３６８８１号公報（段落００１０−００１３、図１）
【０００５】
【発明が解決しようとする課題】
従来の三相四線式交流電源の中性線欠相検出装置は、上記のように構成されていたので、例えば、三相交流電源に大容量のノイズフィルターが接続されている場合のように、各相の電源インピーダンスが低い状態で平衡していると中性線に関する逆相及び欠相状態を検出できないという問題点があった。
この発明は、以上のような問題点を解決するためになされたもので、各相の電源インピーダンスが低い状態で平衡している場合でも、逆相及び欠相状態を検出することができる三相四線式交流電源の逆相及び欠相検出装置を提供することを目的とするものである。
【０００６】
【課題を解決するための手段】
この発明に係る三相四線式交流電源の逆相及び欠相検出装置は、三相四線式交流電源の各極性線と中性線間電圧の位相差にもとづいて上記三相交流電源の逆相及び欠相を検出する逆欠相検出手段及び上記各極性線のうち少なくとも１線と中性線間に接続され、各極性線と中性線間の電流負荷バランスを上記逆欠相検出手段に対応させて調整する電流負荷素子を備えたものである。
【０００７】
【発明の実施の形態】
実施の形態１．
以下、この発明の実施の形態１を図にもとづいて説明する。図１は、実施の形態１に係る逆相及び欠相検出装置の主要部の構成を示す回路図である。
この図に示すように、実施の形態１の逆相及び欠相検出装置は、三相交流電源の各極性線Ｒ、Ｓ、Ｔと中性線Ｎとの間に、電源からのノイズを除去するコンデンサ１Ｒ、１Ｓ、１Ｔ（それぞれほぼ同一容量）を接続すると共に、三相四線式交流電源の各極性線Ｒ、Ｓ、Ｔと中性線Ｎ間の電圧を検出する三相電圧検出回路２と、三相電圧検出回路２の出力側に接続され、各相電圧のタイミングの変化を演算して三相交流電源の逆相及び欠相を検出し、上記三相電圧検出回路と共に逆欠相検出手段を構成するマイクロコンピュータ（以下マイコンという）３と、マイコン３のリレー駆動信号出力ポート３Ａと直流電源４との間に接続され、マイコン３からの信号によって後述する接点をオン、オフするリレー５と、三相交流電源の各極性線のうちの１線（本例ではＲ相）と中性線Ｎとの間に上記リレー５の接点５Ａと直列接続されると共に、各極性線と中性線間の電流負荷バランスを変化させ、上記マイコン３による逆欠相検出を容易または正確にする電流負荷素子６とから構成されている。なお、上記接点５Ａは実施の形態１では常時オンとされている。
【０００８】
また、三相電圧検出回路２は以下に述べる各装置によって構成されている。
即ち、２１Ｒ、２１Ｓ、２１Ｔは三相交流電源の各極性線にカソードを接続した発光ダイオード、２２Ｒ、２２Ｓ、２２Ｔは各発光ダイオード２１Ｒ、２１Ｓ、２１Ｔのアノードと三相交流電源の中性線Ｎとの間に接続された電流制限抵抗、２３Ｒ、２３Ｓ、２３Ｔは上記発光ダイオードと共にフォトカプラを構成するフォトトランジスタで、それぞれのコレクタがマイコン３に接続され、各エミッタが共通接続されてマイコン電源２５のＧＮＤに接続されている。２４Ｒ、２４Ｓ、２４Ｔはフォトトランジスタのコレクタとマイコン電源２５の陽極側とに接続された電流制限抵抗である。
【０００９】
次に、実施の形態１の動作について説明する。三相電圧検出回路２を含む三相交流電源の逆相及び欠相検出回路は一般的なものであるが、従来装置と同様に中性線Ｎの欠相検出の可否は当該三相交流電源に接続されている負荷条件の影響を大きく受ける。実施の形態１の回路では電源ノイズ除去コンデンサ１Ｒ，１Ｓ，１Ｔがほぼ同一容量であるため、電流負荷素子６が開放されている場合に中性線Ｎが真の中性線から開放されていても中性線Ｎの電位は真の中性線と同じになり、三相電圧検出回路２からマイコン３に入力される検出信号は正常時と全く同じフォトトランジスタ２３Ｒ、２３Ｓ、２３Ｔの順に１２０度の位相差で変化するパルス波形になるためマイコン３は三相交流電源の異常を検出することができない。
【００１０】
しかし、実施の形態１においては、三相交流電源のＲ相と中性線Ｎとの間にコンデンサ１Ｒ〜１Ｔより十分にインピーダンスの低い電流負荷素子６が接続されているので、中性線Ｎの電位はほぼＲ相と同じになる。
従って発光ダイオード２１Ｒ、フォトトランジスタ２３Ｒからなるフォトカプラは動作せず、マイコン３の入力はＨＩレベルで固定となる。これは上述した正常時の入力と明らかに異なるためマイコン３は三相交流電源の異常を検出することができる。
【００１１】
実施の形態２．
次に、この発明の実施の形態２を図にもとづいて説明する。実施の形態２の回路構成は図１に示す実施の形態１と同じであるが、この実施の形態ではリレー５の接点５Ａをオン、オフさせ、オンの時の三相電圧検出回路の検出電圧と、オフの時の三相電圧検出回路の検出電圧のタイミングを比較して逆相または欠相を検出するようにしたものである。
【００１２】
次に、実施の形態２の動作について説明する。図２は、実施の形態２におけるマイコン３のプログラムのうち欠相検出動作の処理を示す流れ図である。
この図において、ステップＳ１で欠相検出処理を開始する。次に、ステップＳ２でリレー５の接点５Ａをオフし、電流負荷素子６を検出回路から切り離す。
この回路状態は従来装置と同等で、中性線Ｎが欠相した場合には上述のように、高電圧が検出され、各相のタイミングが異常検出できる値になれば欠相検知となる。次に、ステップＳ３で三相電圧検出回路２の検出結果にもとづいて欠相検出の演算を行なう。演算結果が正常と判断された場合は、ステップＳ４の処理に進み、異常と判断された場合は異常処理を行なうステップＳ８に進む。
【００１３】
負荷が欠相検出できるだけの値ではなく、例えばコンデンサ１Ｒ、１Ｓ、１Ｔのインピーダンスに打ち消されて欠相検知ができない場合は、正常の範囲に含めてステップＳ４に進む。ステップＳ４ではリレー５の接点５Ａをオンさせ、電流負荷素子６を極性線Ｒと中性線Ｎとの間に接続する。この回路状態は実施の形態１と同じになるため、コンデンサ１Ｒ、１Ｓ、１Ｔの影響を打ち消して検出が行なわれる。次に、ステップＳ５でステップＳ３と同じ欠相検出演算が行なわれるが、コンデンサ１Ｒ、１Ｓ、１Ｔの影響が打ち消されるため、欠相検知が容易となる。検知結果が正常と判断された場合にはステップＳ６の処置に進み、異常と判断された場合には異常処理を行なうステップＳ８に進む。
【００１４】
ステップＳ６ではステップＳ３で正常と判断された接点５Ａのオフ時の検出結果と、ステップＳ５で正常と判断された接点オン時の検出結果、即ち、それぞれの場合における各極性線Ｒ、Ｓ、Ｔと中性線Ｎの線間電圧のタイミングを比較し、検出内容の差が所定の許容差範囲内であれば一致と判定して通常処理のステップＳ７に進み、検出内容の差が所定の許容差範囲を超える場合には不一致と判定して異常処理を行なうステップＳ８に進む。ステップＳ７では三相電源の欠相がないため、次の通常処理に進むこととし、ステップＳ８では三相交流電源の欠相を発報、表示すると共に、その三相交流電源に接続された負荷機器の運転を禁止する異常処理を行なうことになる。
【００１５】
この時、通常処理のステップＳ７にてリレー５の接点５Ａをオフし電流負荷素子６を回路から切り離す処理を行なえば、電流負荷素子６が消費する電力を必要最小限に抑え、電流負荷素子６の発熱に対する放熱処置を必要最小限に抑えることができる。
【００１６】
この実施の形態は、以上のように、リレー５の接点５Ａをオフにした場合とオンにした場合の三相電圧検出回路２による検出電圧のタイミングをステップＳ６で比較し、検出内容の差が所定の許容差範囲内であれば一致と判定して通常処理に進み、検出内容の差が所定の許容差範囲を超えている場合には不一致と判定して異常処理に進むようにしているため、欠相検知の確実性を高めることができる。
【００１７】
実施の形態３．
次に、この発明の実施の形態３を図にもとづいて説明する。図３は、実施の形態３に係る逆相及び欠相検出装置の主要部の構成を示す回路図である。この図において、図１と同一または相当部分にはそれぞれ同一符号を付して説明を省略する。図１と異なる点は、三相四線式交流電源に三相全波整流回路７を接続すると共に、三相全波整流回路７の直流側負極と三相交流電源の中性線Ｎの間に電圧検出回路２０を接続し、電圧検出回路２０によって検出された三相全波整流回路７の直流側負極と三相交流電源の中性線との間の電位差をマイコン３に付与するようにした点である。なお、電圧検出回路２０と並列に、その検出電圧を安定させるための電流負荷素子８が接続可能とされ、図示されているが、この実施の形態では電流負荷素子８を使用せず、切り離した状態とする。また、リレー５の接点５Ａは常時開放とされている。
【００１８】
次に、実施の形態３の動作について説明する。図４は、図３における電圧検出回路２０が検出する各状態の電圧波形を示す図で、（ａ）は三相交流電源が正常な状態における半波整流波形、（ｂ）は中性線Ｎが欠相している場合の波形で、基本的には（ａ）と同じ波形であるが、平均レベルが低くなっている。（ｃ）は各極性線Ｒ、Ｓ、Ｔの何れかと中性線Ｎが逆になった場合、即ち逆相の波形を示すもので、２箇所ピークのある単相半波整流様の波形であるが山が欠けた部分は逆極性側に出る。（ｄ）は極性線Ｒ、Ｓ、Ｔの何れかが欠相している場合の波形で、２箇所ピークのある単相半波整流様の波形である。（ａ）に示す正常時の波形７１においてピーク値をＶｐとすると谷のボトム値は１／２Ｖｐであるため、電圧検出回路２０において１／２Ｖｐに対応する所定値を閾値として設定し、デジタル信号に変換してマイコン３に付与する。マイコン３はプログラムにもとづいて以下のような動作を行なう。
【００１９】
即ち、三相交流電源の正常時には、マイコン３に図４（ａ）に示すようなＨｉレベルの電圧７１が常時入力されるのでマイコン３は正常と判定する。
Ｎ相欠相時には、図４（ｂ）に示すように、谷の部分で１周期に３回、上記所定値以下のＬｏレベルとなるパルス７２が入力されるのでマイコン３はＮ相の欠相と判定する。Ｎ相と何れかの極性相が逆相の場合または極性相の欠相時には、図４（ｃ）または（ｄ）に示すように、谷の部分で１周期に１回、上記所定値以下のＬｏレベルとなるパルス７３または７４が入力されるのでマイコン３はその他の電源異常と判定する。
【００２０】
この実施の形態は以上のように、電圧検出回路２０で検出した電圧をデジタル変換しマイコン３によって入力パルスのタイミングで三相交流電源の異常の種類を判別するものであるが、電圧検出回路２０にて検出した電圧のレベルをマイコン３の入力可能範囲まで下げた上でアナログ変換を行ない、マイコン３はアナログ入力のレベルまたは波形で三相交流電源の異常の種類を判別するようにしてもよい。また、この実施の形態では電圧検出回路２０を三相全波整流回路７の負極側に接続しているが、三相全波整流回路７の陽極側と三相交流電源の中性線との間に接続するようにしてもよい。
【００２１】
実施の形態４．
次に、この発明の実施の形態４を図にもとづいて説明する。実施の形態４の回路構成は図３に示す実施の形態３と同じであるが、この実施の形態ではリレー５の接点５Ａをオン、オフさせ、オンの時の電圧検出回路２０の検出電圧と、オフの時の電圧検出回路の検出電圧のタイミングを比較して逆相または欠相を検出するようにしたものである。
【００２２】
次に、実施の形態４の動作について説明する。図２は、実施の形態４におけるマイコン３のプログラムのうち欠相検出動作の処理を示す流れ図である。
この図において、ステップＳ１で欠相検出処理を開始する。最初にマイコン３は電流負荷素子６を接続しない状態で電圧検出回路２０に印加される電圧を検出するためステップＳ２でリレー５の接点５Ａをオフにする。
この回路状態は従来装置と同等で、中性線Ｎが欠相した場合には上述のように中性線Ｎに異常に高い電圧が印加され、電圧検出回路２０の検出電圧でマイコン３が異常検出できれば、ステップＳ３の処理に続いてステップＳ８の異常処理を行なう。ただし、三相交流電源に接続された負荷機器が上記欠相検出できるだけの値ではなく例えばコンデンサ１Ｒ、１Ｓ、１Ｔのインピーダンスに打ち消されてステップＳ３では異常検出できない場合には、正常の範囲に含めてステップＳ４に進む。
【００２３】
ステップＳ４ではマイコン３はリレー５の接点５Ａをオンにする。これによって電流負荷素子６が三相交流電源の極性線Ｒと中性線Ｎとの間に接続され、中性線Ｎの電位がほぼ極性線Ｒ、即ちＲ相の電位となるため、電圧検出回路２０の検出電圧は図４（ｃ）の波形７３と同様になりステップＳ５でマイコン３は三相交流電源の異常を検出することができる。
また、ステップＳ６ではステップＳ３とステップＳ５において電圧検出回路２０で検出した各極性線Ｒ、Ｓ、Ｔと中性線Ｎの線間電圧のタイミングを比較し、検出内容の差が所定の許容差範囲内であれば一致と判定してステップＳ７の通常処理に進み、検出内容の差が所定の許容差範囲を超える場合には不一致と判定してステップＳ８で異常処理を行なう。
【００２４】
この時、通常処理のステップＳ７にてリレー５の接点５Ａをオフし電流負荷素子６を回路から切り離す処理を行なえば、電流負荷素子６が消費する電力を必要最小限に抑え、電流負荷素子６の発熱に対する放熱処置を必要最小限に抑えることができる。この実施の形態では以上のように、リレー５の接点５Ａをオフにした場合とオンにした場合の電圧検出回路２０による検出電圧のタイミングをステップＳ６で比較しているため、欠相検知の確実性を高めることができる。
【００２５】
実施の形態５．
次に、この発明の実施の形態５を図にもとづいて説明する。実施の形態５の回路構成は図３に示す実施の形態３と同じであるが、この実施の形態では電圧検出回路２０と並列に電流負荷素子８を接続して使用する。
この電流負荷素子８はコンデンサ１Ｒ、１Ｓ、１Ｔよりも十分に低いインピーダンス値とされているため、電圧検出回路２０による電圧検出を一層確実に行なうことができる。その他の動作については実施の形態３と同様であるため説明を省略する。また、実施の形態５においても、実施の形態４と同様に、リレー５の接点５Ａをオン、オフさせて、それぞれの検出電圧を比較するようにすれば、更に確実に異常検出を行なうことができる。
【００２６】
実施の形態６．
次に、この発明の実施の形態６について説明する。この実施の形態の回路構成は図３に示す実施の形態３と同じであるが、この実施の形態では、電圧検出回路２０のマイコン３への信号変換の閾値を実施の形態３と異なる形で設定している。即ち、実施の形態３では上記の閾値を、半波整流波形のピーク値Ｖｐに対応して谷のボトム値である１／２Ｖｐに対応する所定値に設定していたが、この実施の形態ではピーク値に対して所定の比率に相当する値を閾値として設定するものである。この結果、閾値はその時検出した電圧値に合わせて変動し、この変動閾値によって異常検出が行なわれるため、電源電圧の変動に対しても確実に逆相及び欠相を検出することができる。
【００２７】
実施の形態７．
次に、この発明の実施の形態７を図にもとづいて説明する。図５は、実施の形態７に係る逆相及び欠相検出装置の主要部の構成を示す回路図である。この図において、図３と同一または相当部分にはそれぞれ同一符号を付して説明を省略する。図３と異なる点は、三相交流電源の各極性線Ｒ、Ｓ、Ｔに、それぞれ交流負荷素子９Ｒ、９Ｓ、９Ｔを接続すると共に、各交流負荷素子の他端を共通接続し、その接続点９０と中性線Ｎとの間に電圧検出回路２０を接続した点である。
なお、リレー５の接点５Ａは開放状態とされる。
【００２８】
次に、実施の形態７の動作について説明する。図５において各極性線Ｒ、Ｓ、Ｔに同一定数の交流負荷素子９Ｒ、９Ｓ、９Ｔを接続することにより、その共通接続点９０の電位は中性線Ｎの電位と同じになる。即ち、電圧検出回路２０が０以外の電圧値を検出した場合には、中性線Ｎまたは各極性線Ｒ、Ｓ、Ｔのいずれかに異常があることが分かる。従って、電圧検出回路２０が０Ｖを検出している時は、マイコン３は三相交流電源が正常と判定し、電圧検出回路２０がいくらかの電圧値を検出している時は、マイコン３は三相交流電源が異常、即ち欠相または逆相と判定する。ただし、図５の回路方式では極性線のみの逆相の場合には、正常と検出してしまうため、他の検出方式との組み合わせによる構成が必要である。
【００２９】
実施の形態８．
次に、この発明の実施の形態８について説明する。実施の形態８の回路構成は、図５に示す実施の形態７と同じであるが、この実施の形態ではマイコン３の制御により、リレー５の接点５Ａをオン、オフさせ、オンの時の電圧検出回路２０の検出電圧と、オフの時の電圧検出回路２０の検出電圧のタイミングを比較して逆相または欠相を検出するようにしたものである。
【００３０】
次に、実施の形態８の動作について説明する。図２は、実施の形態８におけるマイコン３のプログラムのうち欠相検出動作の処理を示す流れ図である。
この図において、ステップＳ１で欠相検出処理を開始する。最初にマイコン３は電流負荷素子６を接続しない状態で電圧検出回路２０に印加される電圧を検出するためステップＳ２でリレー５の接点５Ａをオフにする。この回路状態は従来装置と同等で、中性線Ｎが欠相した場合には上述のように、中性線Ｎに異常に高い電圧が印加され、電圧検出回路２０の検出電圧でマイコン３が異常検出できれば、ステップＳ３の処理に続いてステップＳ８の異常処理を行なう。
ただし、三相交流電源に接続された負荷機器が上記欠相検出できるだけの値ではなく、例えばコンデンサ１Ｒ、１Ｓ、１Ｔのインピーダンスに打ち消されてステップＳ３では異常検出できない場合には、正常の範囲に含めてステップＳ４に進む。
【００３１】
ステップＳ４ではマイコン３はリレー５の接点５Ａをオンにする。これによって電流負荷素子６が三相交流電源の極性線Ｒと中性線Ｎとの間に接続され、中性線Ｎの電位がほぼ極性線Ｒ、即ちＲ相の電位となるため、電圧検出回路２０の検出電圧は正常時のＲ相と中性線Ｎ間の電圧となり、ステップＳ５でマイコン３は三相交流電源の異常を検出できる。ステップＳ６では、ステップＳ３とステップＳ５において電圧検出回路２０で検出した各極性線Ｒ、Ｓ、Ｔと中性線Ｎの線間電圧のタイミングを比較し、検出内容の差が所定の許容差範囲内であれば一致と判定してステップＳ７の通常処理に進み、検出内容の差が所定の許容差範囲を超える場合には不一致と判定してステップＳ８で異常処理を行なう。このような処理を行なうことにより、欠相検知の確実性を高めることができる。
【００３２】
【発明の効果】
この発明に係る三相四線式交流電源の逆相及び欠相検出装置は、三相四線式交流電源の各極性線と中性線間電圧の位相差にもとづいて上記三相交流電源の逆相及び欠相を検出する逆欠相検出手段及び上記各極性線のうち少なくとも１線と中性線間に接続され、各極性線と中性線間の電流負荷バランスを上記逆欠相検出手段に対応させて調整する電流負荷素子を備えたものであるため、従来装置より安価な回路構成で電源インピーダンスの影響を受けることなく正確に逆相及び欠相を検出することができる。
【図面の簡単な説明】
【図１】この発明の実施の形態１に係る逆相及び欠相検出装置の主要部の構成を示す回路図である。
【図２】この発明の実施の形態２におけるマイコンのプログラムのうち欠相検出動作の処理を示す流れ図である。
【図３】この発明の実施の形態３に係る逆相及び欠相検出装置の主要部の構成を示す回路図である。
【図４】図３における電圧検出回路が検出する各状態の電圧波形を示す図である。
【図５】この発明の実施の形態７に係る逆相及び欠相検出装置の主要部の構成を示す回路図である。
【符号の説明】
１Ｒ、１Ｓ、１Ｔ  コンデンサ、    ２  三相電圧検出回路、    ３  マイコン、    ５  リレー、    ６  電流負荷素子。
【図１】
2004187435.tif 000003
【図２】
2004187435.tif 000004
【図３】
2004187435.tif 000005
【図４】
2004187435.tif 000006
【図５】
2004187435.tif 000007